(57)【要約】【課題】ストリーム印刷ジョブに対して印刷計画を立てることができる印刷制御装置、印刷システム及びプログラムを提供する。【解決手段】印刷制御装置１４は、主装置１２からストリーム印刷データを含む印刷データを受け付ける受付手段３０と、前記受付手段３０により受け付けられたストリーム印刷データを記憶する記憶手段と、前記記憶手段によりストリーム印刷データの記憶が完了した場合、前記主装置１２に印刷完了した旨を通知する通知手段と、を有する。【選択図】図１
2019077140.tif 000002
【特許請求の範囲】
【請求項１】
主装置からストリーム印刷データを含む印刷データを受け付ける受付手段と、
前記受付手段により受け付けられたストリーム印刷データを記憶する記憶手段と、
前記記憶手段によりストリーム印刷データの記憶が完了した場合、前記主装置に印刷完了した旨を通知する通知手段と、
を有する印刷制御装置。
【請求項２】
前記主装置側で設定された出力設定と画像形成装置に出力される出力結果とが異なることを禁止するように制御する禁止制御手段をさらに有する請求項１記載の印刷制御装置。
【請求項３】
前記受付手段により受け付けたストリーム印刷データに含まれる出力設定を変更する変更手段をさらに有し、前記禁止制御手段は、前記変更手段による出力設定の変更を禁止するように制御する請求項２記載の印刷制御装置。
【請求項４】
前記受付手段により受け付けたストリーム印刷データに含まれる出力設定を変更する変更手段をさらに有し、前記禁止制御手段は、前記変更手段による出力設定の変更があった場合に画像形成装置への印刷データの出力を禁止するように制御する請求項２記載の印刷制御装置。
【請求項５】
前記受付手段により受け付けたストリーム印刷データに含まれる出力設定を変更する変更手段をさらに有し、前記禁止制御手段は、前記変更手段による出力設定の変更が無かった場合に画像形成装置への印刷データの出力を許可するように制御する請求項２記載の印刷制御装置。
【請求項６】
前記記憶手段に記憶されたストリーム印刷データが画像形成装置へ重複して出力されるのを防止する重複出力防止手段を有する請求項１から５いずれか記載の印刷制御装置。
【請求項７】
前記重複出力防止手段は、前記記憶手段に記憶されているストリーム印刷データの複写を禁止する請求項６記載の印刷制御装置。
【請求項８】
前記重複出力防止手段は、印刷が完了した場合、前記記憶手段に記憶されているストリーム印刷データを削除する請求項６記載の印刷制御装置。
【請求項９】
前記重複出力防止手段は、印刷が中断した場合、中断した次のページから印刷が開始されるように制御する請求項６記載の印刷制御装置。
【請求項１０】
前記記憶手段に記憶されたストリーム印刷データが画像形成装置へ出力完了するまでは前記記憶手段のストリーム印刷データの削除を禁止するように制御する削除制御手段を有する請求項１から９いずれか記載の印刷制御装置。
【請求項１１】
画像を形成する画像形成装置と、
前記画像形成装置を制御する印刷制御装置と、を有し、
前記印刷制御装置は、
前記主装置からストリーム印刷データを含む印刷データを受け付ける受付手段と、
前記受付手段により受け付けられたストリーム印刷データを記憶する記憶手段と、
前記記憶手段によりストリーム印刷データの記憶が完了した場合、前記主装置に印刷完了した旨を通知する通知手段と、
前記記憶手段に記憶されているストリーム印刷データをラスタライズデータに変換する変換手段と、
前記変換手段により変換されたラスタライズデータを前記画像形成装置に送信する送信手段と、
を有する印刷システム。
【請求項１２】
ストリーム印刷データを含む印刷処理対象を送信する主装置と、
画像を形成する画像形成装置と、
前記主装置から送信されたストリーム印刷データを前記画像形成装置で印刷するように制御する院差圧制御装置と、を有し、
前記印刷制御装置は、
前記主装置からストリーム印刷データを含む印刷データを受け付ける受付手段と、
前記受付手段により受け付けられたストリーム印刷データを記憶する記憶手段と、
前記記憶手段によりストリーム印刷データの記憶が完了した場合、前記主装置に印刷完了した旨を通知する通知手段と、
前記記憶手段に記憶されているストリーム印刷データをラスタライズデータに変換する変換手段と、
前記変換手段により変換されたラスタライズデータを前記画像形成装置に送信する送信手段と、
を有する印刷システム。
【請求項１３】
主装置からストリーム印刷データを含む印刷データ受け付けるステップと、
受け付けられたストリーム印刷データを記憶するステップと、
ストリーム印刷データの記憶が完了した場合、前記主装置に印刷完了した旨を通知するステップと、
をコンピュータに実行させるためのプログラム。
【発明の詳細な説明】
【技術分野】
【０００１】
本発明は、印刷制御装置、印刷システム及びプログラムに関する。
【背景技術】
【０００２】
特許文献１は、過去において印刷処理された過去文書を示す情報と、前記過去文書が印刷処理されたときの印刷設定である過去印刷設定とを関連付けて記憶する記憶手段と、今回印刷処理される今回文書が前記過去文書と同一又は類似であり、且つ、前記今回文書に対して設定された印刷設定である今回印刷設定と、当該過去文書に対する過去印刷設定とが異なる場合に、利用者に対して警告を出力する警告手段と、を備えることを特徴とする画像形成装置を開示する。
【先行技術文献】
【特許文献】
【０００３】
【特許文献１】特開２０１７−０４４７５３号公報
【発明の概要】
【発明が解決しようとする課題】
【０００４】
ところで、印刷方式の一つとしてストリーム印刷がある。ストリーム印刷とは、印刷するためのデータが連続的に送られ、双方向通信により処理を実行させる印刷方式である。このストリーム印刷にあっては、主装置側で印刷管理を行うので、主装置から印刷終了コマンドが送られるまでジョブの終了がわからず、画像形成装置側では印刷計画を立てることがでない。
なお、ジョブとは、１又は複数のページからなる印刷対象をいう。
また、印刷計画とは、ジョブの印刷順を制御することをいう。
【０００５】
本発明は、ストリーム印刷ジョブに対して印刷計画を立てることができる印刷制御装置、印刷システム及びプログラムを提供することを目的としている。
【課題を解決するための手段】
【０００６】
請求項１に係る本発明は、主装置からストリーム印刷データを含む印刷データを受け付ける受付手段と、前記受付手段により受け付けられたストリーム印刷データを記憶する記憶手段と、前記記憶手段によりストリーム印刷データの記憶が完了した場合、前記主装置に印刷完了した旨を通知する通知手段と、を有する印刷制御装置である。
【０００７】
請求項２に係る本発明は、前記主装置側で設定された出力設定と画像形成装置に出力される出力結果とが異なることを禁止するように制御する禁止制御手段をさらに有する請求項１記載の印刷制御装置である。
【０００８】
請求項３に係る本発明は、前記受付手段により受け付けたストリーム印刷データに含まれる出力設定を変更する変更手段をさらに有し、前記禁止制御手段は、前記変更手段による出力設定の変更を禁止するように制御する請求項２記載の印刷制御装置である。
【０００９】
請求項４に係る本発明は、前記受付手段により受け付けたストリーム印刷データに含まれる出力設定を変更する変更手段をさらに有し、前記禁止制御手段は、前記変更手段による出力設定の変更があった場合に画像形成装置への印刷データの出力を禁止するように制御する請求項２記載の印刷制御装置である。
【００１０】
請求項５に係る本発明は、前記受付手段により受け付けたストリーム印刷データに含まれる出力設定を変更する変更手段をさらに有し、前記禁止制御手段は、前記変更手段による出力設定の変更が無かった場合に画像形成装置への印刷データの出力を許可するように制御する請求項２記載の印刷制御装置である。
【００１１】
請求項６に係る本発明は、前記記憶手段に記憶されたストリーム印刷データが画像形成装置へ重複して出力されるのを防止する重複出力防止手段を有する請求項１から５いずれか記載の印刷制御装置である。
【００１２】
請求項７に係る本発明は、前記重複出力防止手段は、前記記憶手段に記憶されているストリーム印刷データの複写を禁止する請求項６記載の印刷制御装置である。
【００１３】
請求項８に係る本発明は、前記重複出力防止手段は、印刷が完了した場合、前記記憶手段に記憶されているストリーム印刷データを削除する請求項６記載の印刷制御装置である。
【００１４】
請求項９に係る本発明は、前記重複出力防止手段は、印刷が中断した場合、中断した次のページから印刷が開始されるように制御する請求項６記載の印刷制御装置である。
【００１５】
請求項１０に係る本発明は、前記記憶手段に記憶されたストリーム印刷データが画像形成装置へ出力完了するまでは前記記憶手段のストリーム印刷データの削除を禁止するように制御する削除制御手段を有する請求項１から９いずれか記載の印刷制御装置である。
【００１６】
請求項１１に係る本発明は、画像を形成する画像形成装置と、前記画像形成装置を制御する印刷制御装置と、を有し、前記印刷制御装置は、前記主装置からストリーム印刷データを含む印刷データを受け付ける受付手段と、前記受付手段により受け付けられたストリーム印刷データを記憶する記憶手段と、前記記憶手段によりストリーム印刷データの記憶が完了した場合、前記主装置に印刷完了した旨を通知する通知手段と、前記記憶手段に記憶されているストリーム印刷データをラスタライズデータに変換する変換手段と、前記変換手段により変換されたラスタライズデータを前記画像形成装置に送信する送信手段と、を有する印刷システムである。
【００１７】
請求項１２に係る本発明は、ストリーム印刷データを含む印刷処理対象を送信する主装置と、画像を形成する画像形成装置と、前記主装置から送信されたストリーム印刷データを前記画像形成装置で印刷するように制御する院差圧制御装置と、を有し、前記印刷制御装置は、前記主装置からストリーム印刷データを含む印刷データを受け付ける受付手段と、前記受付手段により受け付けられたストリーム印刷データを記憶する記憶手段と、前記記憶手段によりストリーム印刷データの記憶が完了した場合、前記主装置に印刷完了した旨を通知する通知手段と、前記記憶手段に記憶されているストリーム印刷データをラスタライズデータに変換する変換手段と、前記変換手段により変換されたラスタライズデータを前記画像形成装置に送信する送信手段と、を有する印刷システムである。
【００１８】
請求項１３に係る本発明は、主装置からストリーム印刷データを含む印刷データ受け付けるステップと、受け付けられたストリーム印刷データを記憶するステップと、ストリーム印刷データの記憶が完了した場合、前記主装置に印刷完了した旨を通知するステップと、をコンピュータに実行させるためのプログラムである。
【発明の効果】
【００１９】
請求項１、１１〜１３のいずれかに係る本発明によれば、ストリーム印刷ジョブに対して印刷計画を立てることができる。
【００２０】
請求項２に係る本発明によれば、請求項１に係る本発明の効果に加えて、主装置側で設定された出力設定と画像形成装置で出力される出力結果とを一致させることができる。
【００２１】
請求項３係る本発明によれば、請求項２に係る発明の効果に加えて、出力設定の変更を禁止することができる。
【００２２】
請求項４に係る本発明によれば、請求項２に係る発明の効果に加えて、画像形成装置への出力を禁止することができる。
【００２３】
請求項５に係る本発明によれば、請求項２に係る発明の効果に加えて、出力設定の変更が無かった場合には画像形成装置への出力を許可することができる。
【００２４】
請求項６に係る本発明によれば、請求項１から５いずれかに係る本発明の効果に加えて、画像形成装置で重複して出力されるのを防止することができる。
【００２５】
請求項７に係る本発明によれば、請求項６に係る本発明の効果に加えて、記憶手段に記憶されているストリーム印刷データの重複を防止することができる。
【００２６】
請求項８に係る本発明によれば、請求項６に係る本発明の効果に加えて、印刷が完了した場合の重複を防止することができる。
【００２７】
請求項９に係る本発明によれば、請求項６に係る本発明の効果に加えて、印刷が中断した場合の重複を防止することができる。
【００２８】
請求項１０に係る本発明によれば、請求項１から９いずれかに係る本発明の効果に加えて、印刷が完了前のストリーム印刷データの喪失を防止することができる。
【図面の簡単な説明】
【００２９】
【図１】本発明の実施形態に係る印刷システム全体を示すブロック図である。
【図２】本発明の実施形態に係る印刷制御装置のハードウエアを示すブロック図である。
【図３】本発明の実施形態に係る印刷制御装置の操作表示部においてストリーム印刷ジョブの処理方法を選択するための画面図である。
【図４】本発明の実施形態に係る印刷制御装置において、受信開始から終了までの動作フローの前段部分を示すフローチャートであるである。
【図５】本発明の実施形態に係る印刷制御装置において、受信開始から終了までの動作フローの後段部分を示すフローチャートであるである。
【図６】本発明の実施形態に係る印刷制御装置において、受信開始から終了までの動作フローの他の実施形態を示すフローチャートであるである。
【図７】本発明の実施形態に係る印刷制御装置において、ジャム発生時の動作フローを示すフローチャートである。
【図８】本発明の実施形態に係る印刷制御装置において、削除時の動作フローを示すフローチャートである。
【発明を実施するための形態】
【００３０】
次に、本発明の実施形態について図面を参照して説明する。
図１には、本発明の実施形態に係る印刷システム１０の全体が示されている。印刷システム１０は、例えばクライアントパーソナルコンピュータからなる主装置１２、例えばサーバからなる印刷制御装置１４及び画像形成装置１６から構成されている。主装置１２、印刷制御装置１４及び画像形成装置１６は、ネットワークを介して接続されている。
【００３１】
主装置１２は、ＩＰＤＳ（高機能プリンタデータストリーム）等のストリーム印刷ジョブ及びその他のページ記述言語のジョブを送信する。ストリーム印刷ジョブは、ジョブ開始コマンドの後に、イメージデータや画像形成装置１６で出力される出力設定データ等が連続的に送られる。ストリーム印刷ジョブは、最後にジョブエンドコマンドが送られ、主装置１２からの送信が停止する。
【００３２】
また、主装置１２は、ストリーム印刷ジョブを管理するためのソフトウエアである例えばInfoPrint Manager（InfoPrintはインターナショナル・ビジネス・マシーンズ・コーポレーションの登録商標）がインストールされている。ストリーム印刷ジョブには、ジョブの出力設定データが含まれる。出力設定データには、出力ページ指定、回転、カラー設定、拡大縮小、用紙設定等がある。
【００３３】
印刷制御装置１４は、図２に示すように、ＣＰＵ１８、メモリ２０、入出力インターフェイス２２及びスプール２４を備えている。
【００３４】
ＣＰＵ１８は、メモリ２０に格納された制御プログラムに基づいて予め定められた処理を実行する。
【００３５】
入出力インターフェイス２２は、主装置１２及び画像形成装置１６に接続され、この入出力インターフェイス２２を介して主装置１２及び画像形成装置１６とデータの入出力が行われるようになっている。
【００３６】
スプール２４は、ストリーム印刷ジョブを含む印刷ジョブを一時的に記憶するものである。
【００３７】
また、印刷制御装置１４の入出力インターフェイス２２には、操作表示部２６が接続されている。この操作表示部２６は、例えばタッチパネルと液晶から構成され、ジョブの表示や設定が行われるようになっている。操作表示部２６の操作により、ストリーム印刷ジョブを含めたジョブに対する画像形成装置１６の出力結果（出力ページ指定、回転、カラー設定、拡大縮小、用紙設定等）を変更する。
【００３８】
ＣＰＵ１８、メモリ２０、入出力インターフェイス２２及びスプール２４との間は制御バス２８を介して接続されている。
【００３９】
印刷制御装置１４は、図１に示すソフトウエア構成を有する。
なお、図１において、「部」とは、ソフトウエアを構成する構成要素をいうが、ハードウエアで構成してもよい。
【００４０】
印刷制御装置１４は、主装置１２からジョブを受け付けるジョブ受付部３０を有する。このジョブ受付部３０は、ストリーム印刷データを送受信するストリーム印刷データ送受信部３２と、その他のページ記述言語（ＰＤＬ）のジョブを受け付けるその他ＰＤＬジョブ受信部３４とを有する。ネットワークを介して主装置１２から印刷制御装置１４に受信したジョブは、ポート番号やジョブ内の情報等から、ＰＤＬ種別が判別され、それぞれのＰＤＬについて処理が実行される。
【００４１】
ストリーム印刷ジョブでは、ストリーム印刷データ送受信部３２が主装置１２からジョブデータを受信し、ページカウンタや画像形成装置１６の装置情報を主装置１２へ送信する。
【００４２】
ストリーム印刷データ送受信部３２で受け付けたストリーム印刷データは、中間データ生成部３６で解析され、中間データが生成される。中間データは、例えば画像を形成するオブジェクトを位置、形状、色、ランレングス等で表現したもので、ストリーム印刷データよりもラスタライズデータに変換しやすいデータである。
【００４３】
スプール保存指示部３８は、中間データ生成部３６で中間データとなったストリーム印刷データ及びその他ＰＤＬジョブ受信部３４で受信されたＰＤＬを前述したスプール２４に保存するように指示する。このとき、正しく中間データに変換されたページ分までは、主装置１２に対して、正しく印刷出力されたページとしてページカウントを通知する。
なお、スプール２４に保存されるのは、この実施形態においては、ストリーム印刷データそのものではなく、ストリーム印刷データから中間データとして生成したものであるが、同等のデータであるため、中間データもストリーム印刷データに包含される。また、中間データではなく、さらにラスタライズデータも含まれる。
【００４４】
ジョブ管理部４０は、通知されたジョブを登録し、スプール２４でのジョブの保留や削除、画像形成装置１６へのデータ送信処理等の管理を行う。また、前述した操作表示部２６からの操作信号を受け付け、ジョブ毎に、出力ページ指定、回転、カラー設定、拡大縮小、用紙設定等を行うことができるようになっている。
【００４５】
図３は、操作表示部２６に表示されるストリーム印刷設定画面を示す。
ストリーム印刷設定画面には、通常印刷チェックボックス４２と印刷後保留チェックボックス４４とがある。通常印刷チェックボックス４２をチェックした場合は、ストリーム印刷データは、前述したスプール２４へは記憶されず、通常のストリーム印刷データとして処理される。
【００４６】
一方、印刷後保留チェックボックス４４をチェックした場合は、ストリーム印刷データは、前述したスプール２４に記憶される。さらに印刷後保留チェックボックス４４の下方には保証モードチェックボックス４６が設けられている。この保証モードチェックボックス４６をチェックした場合は、ストリーム印刷データはスプール２４に記憶された通常のストリーム印刷と同様に、出力結果が保証される。
【００４７】
図４及び図５は、受信開始から終了までの動作フローを示す。
【００４８】
まずステップＳ１０において、ストリーム印刷データ送受信部３２でストリーム印刷データとして、主装置１２からデータを受信する。
【００４９】
次のステップＳ１２においては、ジョブの区切り（終了）を示すコマンドを受けたか又はタイムアウトしたか否かを判定する。このステップＳ１２において、ジョブの区切り（終了）を示すコマンドを受けたか又はタイムアウトしたと判定された場合は、ステップＳ１４へ進む。
【００５０】
ステップＳ１４においては、中間データをジョブ管理部４０で、受信時の設定情報と組み合わせて管理する。
【００５１】
一方、ステップＳ１２において、ジョブの区切り（終了）を示すコマンドを受けていないか又はタイムアウトしていないと判定された場合は、ステップＳ１６へ進む。
【００５２】
ステップＳ１６においては、中間データ生成部３６で、受信データを中間データへ変換し、次のステップＳ１８へ進む。
【００５３】
ステップＳ１８においては、受信データに不正があることを検知したか否かを判定する。受信データに不正があるとは、画像形成装置１６で印刷できない、あるいは印刷に不備が生じることをいう。印刷に不備を生じる場合には、例えば印刷すべき画像が記録媒体からはみ出る場合等が含まれる。
【００５４】
ステップＳ１８において、受信データに不正があることが検知されたと判定された場合は、ステップＳ２０に進み、ストリーム印刷データ送受信部３２を経由して主装置１２へデータ不正を通知する。ステップＳ２０でデータ不正を通知すると、ステップＳ１０に戻り、再度主装置１２からストリーム印刷データを受信する。
【００５５】
一方、ステップＳ１８において、受信データに不正があることが検知されないと判定された場合は、ステップＳ２２へ進む。ステップＳ２２においては、中間データでページデータが完成し、スプール２４に記憶されるごとに、主装置１２へ返すためのページカウント情報を更新する。ページカウント情報は、通常は印刷が終了したごとに送られるが、ここではスプール２４に記憶されるごとに印刷が終了した旨を主装置１２へ通知することになる。このステップＳ２２の処理が終了すると、ステップＳ１０に戻る。
【００５６】
前述したステップＳ１４の処理が終了すると、次のステップＳ２４に進む。ステップＳ２４においては、対象ジョブがストリーム印刷の保存ジョブであるか否かを判定する。
【００５７】
ステップＳ２４において、対象ジョブがストリーム印刷の保存ジョブではない（ストリーム印刷ではない通常のＰＤＬ）と判定された場合は、処理を終了し、通常の印刷が実行されるようになる。
【００５８】
ステップＳ２４において、対象ジョブがストリーム印刷の保存ジョブであると判定された場合は、ステップＳ２６へ進む。ステップＳ２６においては、ストリーム印刷ジョブ結果保証モードであるか否かを判定する。ストリーム印刷結果保証モードではないと判定された場合は、前述した操作表示部２６からの操作信号を受け付けることができるようになる。
【００５９】
一方、ステップＳ２６において、ストリーム印刷結果保証モードであると判定された場合は、ステップＳ２８へ進む。ステップＳ２８においては、操作表示部２６の変更禁止設定の項目には設定変更画面では触れないようにグレイアウトになる設定に変更する。即ち、主装置１２で設定された出力設定については、印刷制御装置１４では設定変更を禁止し、出力結果を保証するようにする。
なお、出力結果の変更を禁止するか否かについては、管理者権限を特定の管理者に付与して特定の管理者のみに設定変更を許すようにしてもよい。
【００６０】
図６は、保留ジョブの印刷開始から終了までの他の実施形態における動作フローを示す。
【００６１】
まずステップＳ３０において、ジョブ管理部３６から、保留ジョブの印刷を開始すると、次のステップＳ３２においては、対象ジョブがストリーム印刷の保留ジョブであるか否かを判定する。
【００６２】
ステップＳ３２において、対象ジョブがストリーム印刷の保留ジョブではないと判定された場合は、ステップＳ３４に進み、通常の処理で印刷を行う。
【００６３】
一方、ステップＳ３２において、対象ジョブがストリーム印刷の保留ジョブであると判定された場合は、ステップＳ３６へ進み、ストリーム印刷ジョブは結果保証モードであるか否かを判定する。
【００６４】
ステップＳ３６において、結果保証モードではないと判定された場合は、ステップＳ３４へ進み、通常の処理で印刷を行う。
【００６５】
一方、ステップＳ３６において、結果保証モードであると判定された場合は、ステップＳ３８へ進む。ステップＳ３８においては、操作表示部２６で変更禁止設定が変更されたか否かを判定する。
【００６６】
ステップＳ３８において、変更禁止設定が変更されていないと判定された場合は、ステップＳ４０へ進み、印刷を開始し、さらにステップＳ４２において、印刷完了後、スプールデータを削除し、処理を終了する。
【００６７】
一方、ステップＳ３８において、変更禁止設定が変更されていると判定された場合は、ステップＳ４４に進む。ステップＳ４４においては、設定変更している旨のメッセージを前述した操作表示部２６に表示し、印刷開始させず、処理を終了する。
なお、印刷を禁止するか否かについては、管理者権限を特定の管理者に付与して特定の管理者のみに印刷を許すようにしてもよい。
【００６８】
図７は、印刷中にジャムが発生した場合の動作フローを示す。
【００６９】
まずステップＳ４６において、印刷中ジャム発生の検知情報を画像形成装置１６から受けると、ステップＳ４８において、対象ジョブがストリーム印刷の保存ジョブであるか否かを判定する。
【００７０】
ステップＳ４８において、対象ジョブがストリーム印刷の保存ジョブでないと判定された場合は、ステップＳ５０へ進む。ステップＳ５０においては、前述した操作表示部２６には、エラー通知・操作画面を表示し、エラー状態から復帰し、再印刷設定画面に移行し、この再印刷設定画面から、再印刷開始を指示する。ステップＳ５０において、再印刷開始を指示すると、ステップＳ５２において、再印刷が開始される。
【００７１】
一方、ステップＳ４８において、対象ジョブがストリーム印刷の保存ジョブであると判定された場合は、ステップＳ５４に進む。ステップＳ５４においては、ストリーム印刷ジョブが結果保証モードであるか否かを判定する。ステップＳ５４において、ストリーム印刷ジョブが結果保証モードでないと判定された場合は、前述したステップＳ５０に進む。
【００７２】
一方、ステップＳ５４において、ストリーム印刷ジョブが結果保証モードであると判定された場合は、ステップＳ５６へ進む。ステップＳ５６においては、エラー通知・操作画面の中の、再印刷開始ページ指定項目をグレーアウトして、設定不可となる設定にする。即ち、再印刷開始ページは、デフォルト設定されている正常印刷終了した次のページから再印刷を開始する以外にすることがで禁止される。ステップＳ５６の処理が終了すると、ステップＳ５０進む。ステップＳ５０の処理が終了すると、ステップＳ５２へ進み、再印刷を開始する。
【００７３】
図８は、保留ジョブの削除開始から終了までの動作フローを示す。
【００７４】
まずステップＳ５８において、ジョブ管理部３６から、保留ジョブの削除開始を受けると、ステップＳ６０において、対象ジョブがストリーム印刷の保存ジョブであるか否かを判定する。
【００７５】
ステップＳ６０において、対象ジョブがストリーム印刷の保留ジョブではないと判定された場合は、ステップＳ６２に進み、通常の処理で対象ジョブを削除する。
【００７６】
一方、ステップＳ６０において、対象ジョブがストリーム印刷の保留ジョブであると判定された場合は、ステップＳ６４に進む。このステップＳ６４においては、ストリーム印刷ジョブが結果保証モードであるか否かを判定する。ステップＳ６４において、ストリーム印刷ジョブが結果保証モードでないと判定された場合は、前述したステップＳ６２に進む。
【００７７】
一方、ステップＳ６４において、ストリーム印刷ジョブが結果保証モードであると判定された場合は、ステップＳ６６に進む。ステップＳ６６においては、削除できない旨のメッセージを前述した操作表示部２６の画面に表示し、削除せず、削除処理を終了する。即ち、ストリーム刷ジョブが結果保証モードである場合は、削除を禁止することによりストリーム印刷の設定と出力結果とが一致するようにする。
ただし、ストリーム印刷ジョブが印刷終了した場合は、削除可能とする。
【００７８】
なお、上記実施形態においては、印刷制御装置１４は、画像形成装置１６から独立したサーバとして構成されているが、本発明はこれに限定されず、例えば画像形成装置と一体に構成してもよい。
【符号の説明】
【００７９】
１０    印刷システム
１２    主装置
１４    印刷制御装置
１６    画像形成装置
２４    スプール
２６    操作表示部
３０    ジョブ受付部
３２    ストリーム印刷データ送受信部
４０    ジョブ管理部
【図１】
2019077140.tif 000003
【図２】
2019077140.tif 000004
【図３】
2019077140.tif 000005
【図４】
2019077140.tif 000006
【図５】
2019077140.tif 000007
【図６】
2019077140.tif 000008
【図７】
2019077140.tif 000009
【図８】
2019077140.tif 000010